(57)【特許請求の範囲】
【請求項１】
溶剤ベースのフィルム（７）又は溶剤ベースのフォイルを製造するための方法であって、
ａ）溶剤ベースのフィルム（７）又は溶剤ベースのフォイルを製造するための、少なくとも１種類の溶剤又は溶剤混合物を含む少なくとも１種類の流動性材料（８）を、動いているエンドレスベルト（４）に塗布するステップと、
ｂ）溶剤の一部を蒸発させることによってエンドレスベルト上の材料（８）を部分的に乾燥させるステップと、
ｃ）部分的に乾燥させた材料（８）をエンドレスベルト（４）から剥離するステップと、
ｄ）エンドレスベルト（４）から剥離された材料（８）の側縁部を少なくとも１台の締付け装置に挟み込み、剥離された材料（８）を、搬送方向でエンドレスベルト（４）に後続する少なくとも１台の延伸装置（９）内で少なくとも材料（８）の搬送方向に対して横断方向に延ばし、少なくとも１台の延伸装置（９）内で溶剤を蒸発させることによって材料（８）を更に乾燥させるステップと、
ｅ）少なくとも１台の延伸装置（９）から材料（８）を少なくとも１台の乾燥機（１０）に移送し、少なくとも１台の乾燥機（１０）内で材料（８）をローラを介して蛇行案内し、少なくとも１台の乾燥機（１０）内で溶剤を蒸発させることによって材料（８）を更に乾燥させるステップと、
ｆ）蒸発した溶剤を含む気体混合物の少なくとも一部を、気体混合物を冷却することによって乾燥させ、及び少なくとも溶剤の一部を液化して分離するステップｆ）であって、前記ステップｆ）で乾燥させた気体混合物の少なくとも一部が少なくとも１台の乾燥機（１０）に送られる、ステップｆ）とを有する方法において、
前記ステップｆ）で乾燥させた気体混合物の一部を流延領域（２）に送り、そこでステップａ）において材料をベルトに塗布し、
少なくとも１台の乾燥機（１０）は、材料の搬送方向に見て相前後する互いに仕切られた複数の区域（１１、１２、１３、１４）を有しており、ステップｆ）で乾燥させた気体混合物の少なくとも一部を、少なくとも１台の乾燥機（１０）の少なくとも材料（８）の搬送方向に見て最後の区域に送入する、ことを特徴とする方法。
【請求項２】
ステップｆ）で気体混合物を低温凝縮法によって乾燥させることを特徴とする、請求項１に記載の方法。
【請求項３】
ステップｆ）で乾燥させた気体混合物に窒素を混入することを特徴とする、請求項１又は２に記載の方法。
【請求項４】
溶剤ベースのフィルム（７）又は溶剤ベースのフォイルを製造するための装置（１）であって、装置（１）は少なくとも部分的に格納された少なくとも１つの流延領域（２）を有し、流延領域（２）には少なくとも１本のエンドレスベルト（４）と、エンドレスベルト（４）に材料（８）を塗布するための少なくとも１台の流延装置（３）が配置されており、更に装置（１）はエンドレスベルト（４）から材料（８）を剥離するための少なくとも１台の剥離装置（５）を有しており、材料（８）の搬送方向に見て流延領域（２）の後段に少なくとも部分的に格納された少なくとも１台の延伸装置（９）が配置され、延伸装置（９）はエンドレスベルト（４）から剥離された材料（８）を緊締するための締付け部材を有しており、少なくとも１台の延伸装置（９）の後段に、少なくとも部分的に格納されて材料（８）を蛇行案内するためのローラ（６）を有する少なくとも１台の乾燥機（１０）が配置されており、装置（１）は気体混合物から溶剤を回収するための少なくとも１台の冷却装置（１５）を有しており、溶剤を回収するための冷却装置（１５）は、溶剤が分離されるべき気体混合物を供給するための少なくとも１個の流入口（１６）と、少なくとも溶剤の一部が分離された気体混合物を冷却装置（１５）から排出するための少なくとも１個の流出口（１７）とを有し、少なくとも１個の流入口（１６）が流延領域（２）の内室及び／又は延伸装置（９）の内室及び／又は少なくとも１台の乾燥機（１０）の内室と接続されており、冷却装置（１５）の少なくとも１個の流出口（１７）が少なくとも１本の配管（１８）を介して少なくとも１台の乾燥機（１０）の内室と接続されている、装置において、
冷却装置（１５）の少なくとも１個の流出口（１７）は、配管（１９）を介して流延領域（２）と接続され、
少なくとも１台の乾燥機（１０）は、材料（８）の搬送方向で相前後する互いに仕切られた複数の区域（１１、１２、１３、１４）を有しており、少なくとも１台の冷却装置（１５）の少なくとも１個の流出口（１７）と少なくとも１台の乾燥機（１０）を接続している配管（１８）は、少なくとも１台の乾燥機（１０）の材料（８）の搬送方向に見て最後の区域（１４）に開口していることを特徴とする装置。
【請求項５】
溶剤を回収するための少なくとも１台の冷却装置（１５）は、低温凝縮装置であることを特徴とする、請求項４に記載の装置。
【請求項６】
装置（１）は気体窒素を含むタンク（２０）を有しており、タンク（２０）は配管を介して流延領域（２）の内室と接続されていることを特徴とする、請求項４又は５に記載の装置。
【発明の詳細な説明】
【技術分野】
【０００１】
本発明は、溶剤ベースのフィルム又は溶剤ベースのフォイルを製造するための方法であって、
ａ）溶剤ベースのフィルム又は溶剤ベースのフォイルを製造するための、少なくとも１種類の溶剤又は溶剤混合物を含む少なくとも１種類の流動性材料を、動いているエンドレスベルトに塗布するステップａ）と、
ｂ）溶剤の一部を蒸発させることによってエンドレスベルト上の材料（８）を部分的に乾燥させるステップｂ）と、
ｃ）部分的に乾燥させた材料をエンドレスベルトから剥離するステップｃ）と、
ｄ）エンドレスベルトから剥離された材料の側縁部を少なくとも１台の締付け装置に挟み込み、剥離された材料を、搬送方向でエンドレスベルトに後続する少なくとも１台の延伸装置内で少なくとも材料の搬送方向に対して横断方向に延ばすステップｄ）と、
ｅ）少なくとも１台の延伸装置から材料を少なくとも１台の乾燥機に移送し、少なくとも１台の乾燥機内で材料をローラを介して蛇行案内し、少なくとも１台の乾燥機内で溶剤を蒸発させることによって材料を更に乾燥させるステップｅ）と、
ｆ）蒸発した溶剤を含んだ気体混合物、特に空気の少なくとも一部を、気体混合物を冷却することによって乾燥させ、及び少なくとも溶剤の一部を液化して分離するステップｆ）とを有する方法に関するものである。
【０００２】
更に本発明は、溶剤ベースのフィルム又は溶剤ベースのフォイルを製造するための装置であって、装置は少なくとも部分的に格納された少なくとも１つの流延領域を有し、流延領域には少なくとも１本のエンドレスベルトと、このエンドレスベルトに材料を塗布するための少なくとも１台の流延装置が配置されており、更に装置はエンドレスベルトから材料を剥離するための少なくとも１台の剥離装置を有しており、材料の搬送方向に見て流延領域の後段に少なくとも部分的に格納された少なくとも１台の延伸装置が配置され、延伸装置はエンドレスベルトから剥離された材料を緊締するための締付け部材を有しており、少なくとも１台の延伸装置の後段に、少なくとも部分的に格納されて材料を蛇行案内するためのローラを有する少なくとも１台の乾燥機が配置されており、装置は気体混合物から溶剤を回収するための少なくとも１台の冷却装置を有しており、溶剤を回収するための冷却装置は、溶剤が分離されるべき気体混合物を供給するための少なくとも１個の流入口と、少なくとも溶剤の一部が分離された気体混合物を冷却装置から排出するための少なくとも１個の流出口とを有し、少なくとも１個の流入口が流延領域の内室及び／又は延伸装置の内室及び／又は少なくとも１台の乾燥機の内室と接続されている装置に関するものである。上記の方法及び装置は、ある特許文献によって知られている（例えば、特許文献１参照。）
【背景技術】
【０００３】
冒頭に記載した種類の方法若しくは装置は、例えば製薬業などで使用されるポリイミドフォイル（ＰＩＣフォイル）、又は例えばＬＣＤディスプレイの生産などで使用されるトリアセテートフィルム（ＴＡＣフィルム）の製造などに用いられる。この場合、フィルムの塗布及び搬送のためのプロセスベルトとして用いられるエンドレスベルトは駆動ローラと転向ローラとの間を周回し、ベルトはこれらのローラの間に張り渡されている。公知の解決においてはエンドレスベルト上に液状の出発材料を流延する。そうすると材料はベルト表面に均一なフィルムを形成でき、このフィルムは後続のプロセスステップ、例えば乾燥、延伸、裁断などに送ることができる。以下では読みやすさの理由から「フィルム」という言葉をフォイルに対しても、及び極めて一般的に伸長可能又は伸長不能、弾性的又は非弾性的に形成できるあらゆる種類の面状、特に板状又は帯状の単層又は多層の固体形成物に対して用いる。
【０００４】
高い生産速度を達成するために、フィルムはまだ湿った状態でエンドレスベルトから剥離されて後続の乾燥ステップ及び加工ステップに送られる。「湿った」という言葉は、溶剤ベースのフィルムにも、フィルム中に含まれている溶剤分にも関係する。従って例えば完全に乾燥したフィルムでは溶剤分はゼロであろう。溶剤として、例えばＴＡＣフィルムの場合はジクロロメタン（塩化メチレン）及び／又はメタノールを使用できる。
【０００５】
冒頭に記載した種類の方法及び装置は、ある特許文献によって知られている（例えば、特許文献２参照。）。この公知の方法ではポリマーフィルム、例えばトリアセテートフィルム（ＴＡＣフィルム）を製造するために、ポリマーと有機溶剤を混ぜ合わせてエンドレスベルト上に流延し、部分的に硬化及び乾燥した後でエンドレスベルトから剥離され、延伸装置、いわゆる「テンター」で延伸される。エンドレスベルトが配置されている領域は、本文書では「流延領域」と呼ぶ。ここで材料若しくは濡れたフィルムは後続の乾燥機、材料がローラを介して蛇行案内されるいわゆる「ローラ乾燥機」内で更に乾燥される。ローラ乾燥機を出た後、完成したフィルムは運搬用に巻きステーションでリールに巻き付けられる。乾燥プロセスの過程で溶剤は流延領域でも、後段に接続された延伸装置とローラ乾燥機でも蒸発する。材料中に含まれている溶剤含量は材料の乾燥の過程でますます減っていく。材料若しくはフィルムを乾燥させるために、流延領域でも個々の乾燥機も新鮮空気が使用され、空気は外からプロセスに供給され、乾燥した後で再び周囲に放出される。環境負荷を最小限に抑えるために、溶剤で汚染された空気は流延領域から吸引されて凝縮器で冷却され、次に液化された溶剤が分離されてリサイクルされる。空気の乾燥と溶剤の液化の後で、乾燥した空気は活性炭装置を通して周囲に放出される。たとえ活性炭を使って濾過しても濾過された空気中には溶剤の残留分が残っている。そのため例えば「大気保全のための技術指導」（ＴＡ−Ｌｕｆｔ）に従い、該当する設備において溶剤含量を２０ｍｇ／ｍ3空気に減らすことが要求される。
【０００６】
公知の解決の短所は、確かに溶剤は回収できるが、まだ残っている溶剤残留物を溶剤からできるだけ多く除去するには周囲に放出される乾燥した空気のエネルギーコストの高い処理が必要な点にある。
【先行技術文献】
【特許文献】
【０００７】
【特許文献１】米国特許出願公開第２００８／０７８２９３号明細書
【特許文献２】国際公開第２００７／１１１３３８号公報
【発明の概要】
【発明が解決しようとする課題】
【０００８】
それゆえ、本発明の課題は、従来技術の上記の短所を克服することである。
【課題を解決するための手段】
【０００９】
この課題は本発明により冒頭に記載した種類の本発明の方法により解決される。
【００１０】
乾燥した気体混合物を乾燥機の領域に供給することによって、材料若しくはフィルムの乾燥に使用される気体混合物の閉じた循環が実現される。本発明による解決において乾燥した気体混合物は再びプロセスに供給され、同時に溶剤が回収される。本発明による解決は、多大なエネルギーとコストがかかる排気の処理を不要にし、フィルムの乾燥に使用される空気若しくは気体混合物を循環させることを可能にし、そうすることによって、エミッションの発生を完全に防ぐことができる。
【００１１】
気体混合物の特に高い乾燥度を達成し、且つ溶剤の非常に高い分離を達成するために、ステップｆ）で低温凝縮法を用いて気体混合物を乾燥させることができる。この場合、気体混合物は気体混合物中に含まれている溶剤の露点以下に冷却される。
【００１２】
本発明の有利な変形に従い、ステップｆ）で乾燥させた気体混合物の一部を流延領域に供給することができ、そこで材料はステップａ）においてベルトに塗布される。この変形の利点は、乾燥した気体混合物の量が（ローラ）乾燥機に必要とされる量を上回る場合でも、乾燥した気体混合物が完全に再びプロセスに戻るのを保証できることである。このようにしてエミッションを発生しないか、ごく僅かしか発生しない設備が実現される。
【００１３】
ステップｆ）で乾燥させた気体混合物に、好ましくは既にその前に低温凝縮のために使用された窒素を混入すると、プロセスに使用された気体混合物の不活性化を簡単に達成できる。そのため乾燥した気体を流延領域に戻す際に窒素を混入することにより、溶剤を含んだ気体混合物に対する爆発下限を引き上げることができる。この理由からフィルムを製造するための材料により多くの溶剤分を使用でき、それによって製造工程をエネルギー論的により有利に形成する可能性が開かれる。
【００１４】
本発明の有利な拡張により、少なくとも１台の乾燥機は、材料の搬送方向に見て相前後する互いに仕切られた複数の区域を有しており、ステップｆ）で乾燥させた気体混合物の少なくとも一部を、少なくとも１台の乾燥機の少なくとも材料の搬送方向に見て最後の区域に送入するようにすることができる。なぜなら少なくとも乾燥機の最後の区域にはプロセス上非常に乾燥した気体混合物が必要だからである。
【００１５】
上記の課題は、本発明に従い冒頭に記載した種類の装置により、冷却装置の少なくとも１個の流出口が少なくとも１台の乾燥機の内室と少なくとも１本の配管を介して接続されていることによっても解決できる。
【００１６】
本発明の有利な変形において、溶剤を回収するための少なくとも１台の冷却装置が低温凝縮装置であるようにすることができる。
【００１７】
本発明の有利な拡張により、冷却装置の少なくとも１個の流出口は流延領域接続されてよい。
【００１８】
更に、少なくとも１台の乾燥機は、材料の搬送方向で相前後する互いに仕切られた複数の区域を有することができ、少なくとも１台の冷却装置の少なくとも１個の流出口と少なくとも１台の乾燥機を接続している配管は、少なくとも１台の乾燥機の材料の搬送方向に見て最後の区域に開口している。
【００１９】
以下に本発明を理解しやすくするために図面に基づいて詳細に説明する。
【００２０】
図面は、著しく単純化した模式図である。
【図面の簡単な説明】
【００２１】
【図１】図１は本発明による装置を示す図である。
【発明を実施するための形態】
【００２２】
最初に確認しておくと、様々に説明される実施形態において同じ部材には同じ参照符号若しくは同じ部材名称を付す。この場合、説明全体に含まれている開示内容は同じ参照符号若しくは同じ部材名称を有する同じ部材に準用され得る。説明において選択された位置を表す言葉、例えば上、下、横なども直接説明及び表示された図を基準としており、位置が変化した場合には新しい位置に準用される。
【００２３】
具体的な説明において数値範囲に関するすべての記載は、当該範囲内のすべての任意の部分範囲を含むものと理解すべきである。例えば１〜１０という記載には、下限１を起点として上限１０に至るまでのすべての部分範囲が含まれていると理解すべきである。即ちすべての部分範囲は、例えば１〜１．７、又は３．２〜８．１又は５．５〜１０のように、下限の１以上から始まって上限の１０以下で終わる。
【００２４】
図１に従い、本発明によるフィルム７又はフォイルを製造するための装置１は流延領域２を有している。従来技術において流延室（ｃａｓｔｉｎｇ ｃｈａｍｂｅｒ）とも呼ばれる流延領域２は、例えば金属板からなるケーシングに格納されている。更に流延領域２にはエンドレスベルト４と、材料８をエンドレスベルト４に塗布するための少なくとも１台の流延装置３が配置されている。その上、流延領域２には材料８をエンドレスベルト４から剥離するための剥離装置５が配置されている。
【００２５】
材料８の搬送方向に見て流延領域２の後段に、同様に格納された延伸装置９（「テンター」）が配置されている。延伸装置９は、エンドレスベルト４から剥離された材料８を緊締するための締付け部材、例えば張り枠又はテンターフックを備えることができる。
【００２６】
延伸装置９の後段に、同様に格納された乾燥機１０、材料８を蛇行案内するためのローラ６を有するいわゆる「ローラ乾燥機」が配置されている。
【００２７】
装置１は更に、気体混合物から溶剤を回収するための少なくとも１台の冷却装置１５（冷凍器など）を有する。冷却装置１５は、例えば低温凝縮のための装置、いわゆる低温凝縮器であってよく、１以上の熱交換面が低温媒体、例えば低温の気体窒素と熱的に接続されている。冷媒として使用される気体窒素は、例えば−１７０°Ｃの温度を有してよい。乾燥させるべき気体混合物は、冷媒によって例えば−１４０°Ｃまで冷却できる。低温凝縮に適した装置は当業者に知られており、例えば独国特許出願第１０２００４０２６９０８Ａ１号に記載されている。低温凝縮において低温に冷却して凝縮することによって気体混合物から溶剤が回収される。この場合、気体混合物は冷却材との間接的熱交換によって冷却され得る。気体混合物の冷却は１台以上の予冷器と１台の低温冷却器で行うこともできる。これらの予冷器では低温ガス、例えば低温の気体窒素又は浄化された極低温プロセスガスを冷却材として使用する。低温冷却器では原則として液体窒素が冷却材として使用される。
【００２８】
冷却装置は、乾燥させるべき気体混合物、即ち溶剤が分離されるべき気体混合物を供給するための少なくとも１個の流入口１６と、少なくとも溶剤の一部が分離された気体混合物を冷却装置１５から排出するための少なくとも１個の流出口１７とを有する。
【００２９】
図示された実施形態において流入口１６は、流延領域２の内室、延伸装置９の内室、及び乾燥機１０の内室と配管２２、２３、２４を介して接続されている。ここで「内室」はそれぞれのハウジングの内部の領域を意味する。基本的に本発明の別の変形において、流入口１６を流延領域２、延伸領域９又は乾燥機１０とだけ接続することも可能である。
【００３０】
図１に見られるように、冷却装置１５の流出口１７は配管１８を介して乾燥機１０の内室に接続されている。乾燥機１０は、材料８の搬送方向で相前後する互いに分離された複数の区域１１、１２、１３、１４を有することができ、これらは例えばここには図示されていない加熱部材によって種々異なる温度に保たれてよい。区域１１、１２、１３、１４は、例えばフィルム若しくは材料８のための貫通孔を有する金属板によって互いに仕切られている。
【００３１】
流出口１７を乾燥機１０と接続している配管１８は、少なくとも１台の乾燥機１０の材料８の搬送方向に見て最後の区域１４に開口している。
【００３２】
更に、冷却装置１５の流出口１７は配管１９を介して流延領域２及び延伸装置９とも接続されてよい。
【００３３】
更に、装置１は窒素を含むタンク２０を有することができ、タンク２０も同様に配管、例えば配管１９を介して流延領域２の内室と接続されてよい。乾燥した気体混合物を目標温度に加熱するために、配管１８、１９、２１内にここでは図示されていない加熱部材も、例えば熱交換器の形態で設けることができる。
【００３４】
図１に示された装置１で実施できる本発明による方法に従い、流動状態にある溶剤を含んだ材料８は流延装置３によって動いている、即ち２個のローラ２５及び２６の間で周回するエンドレスベルト４に塗布される。ローラ２５、２６の一方は駆動されてよく、他方は転向ローラとして働く。材料８をエンドレスベルト４に塗布した後、エンドレスベルト４上の材料８は溶剤の一部を蒸発させることによって部分的に乾燥する。乾燥過程を加速するために、流延領域２内にある気体混合物、好ましくは空気中に、例えば送風機によって流動を形成することができる。更に、気体混合物は所望の温度、例えば４０°Ｃ〜２００°Ｃ、特に９０°Ｃ〜１２０°Ｃの温度に加熱されてよい。
【００３５】
続いて部分的に乾燥した材料８がエンドレスベルト４から剥離される。これは剥離装置５によって行なわれ、剥離装置５は例えば剥離ローラとして構成されるか、若しくは剥離ローラを含むことができる。この場合、剥離された材料８は濡れたフィルムを形成しており、その溶剤含量は例えば３０％であってよい。
【００３６】
エンドレスベルト４から剥離された材料８の側縁部は延伸装置９の１以上の締付け装置、例えばテンターフック又は張り枠に緊締されて、少なくとも材料８の搬送方向に対して横断方向に延伸される。同様に複数の区域を含むことができる延伸装置９内の延伸温度は、好ましくは４０°Ｃ〜２００°Ｃ、特に１２０°Ｃ〜１４０°Ｃであり、ここでも材料８若しくはフィルムの乾燥は溶剤を蒸発させることによって行なわれる。
【００３７】
延伸されて更に乾燥した材料８は、延伸装置９から（ローラ）乾燥機１０に移送される。延伸装置９の後で材料８若しくはフィルムの溶剤含量は、例えば５％である。乾燥機１０内で材料８はローラ６を介して蛇行案内され、溶剤が蒸発することによって更に乾燥する。
【００３８】
配管２２及び／又は２３及び／又は２４を介して溶剤を含んだ蒸気を、例えば１以上の図示されていないポンプで吸引して冷却装置１５に送ることができる。溶剤を含んだ気体混合物は乾燥させるために冷却装置１５内で溶剤の露点を下回る温度にもたらされ、気体混合物の冷却によって溶剤は凝結する。液化した溶剤を集め、必要に応じて浄化し、流延装置３によってエンドレスベルト４に塗布される材料８に再び混入することができる。溶剤を含んだ気体混合物を低温凝縮法を用いて冷却することによって、溶剤の特に高い収率と非常に乾燥した気体混合物を得ることができる。この場合、乾燥させるべき気体混合物を冷媒として液体窒素が貫流する熱交換器に通すことができる。乾燥した気体混合物の溶剤含量は、例えば１％未満、特に０．５％以下、特に好ましくは０．２％以下であり得る。フィルムを非常に少ない溶剤含量、例えば０．２％まで乾燥させると、（ローラ）乾燥機１０の区域１４で乾燥した空気若しくは乾燥した気体混合物の露点が溶剤、例えばジクロロメタンの融点を僅かに上回ることが有利であることが分かった。気体窒素を冷媒に使う低温凝縮法を用いることによって、熱交換器が凍結することなく凝縮した溶剤（例えばジクロロメタン）を大部分液体として析出させることが可能となる。それによって乾燥させるために新鮮空気の代わりに非常に乾燥した空気若しくは非常に乾燥した気体混合物の閉じた循環を設けるプロセス操作を実現できる。そうすることによってもはや空気を周囲に放出しなくともよくなり、乾燥した空気の処理に多大なエネルギーを費やす必要がなくなる。
【００３９】
気体混合物が乾燥した後、乾燥した気体混合物の一部或いはまた全量が乾燥機１０、特に乾燥機１０の最後の区域１４に供給される。なぜならここではプロセス上特に乾燥した気体混合物が必要だからである。乾燥した気体混合物の別の部分は、流延領域２及び／又は延伸装置９に供給される。乾燥した気体混合物をプロセスに送入若しくは還流する前に、例えば加熱部材若しくは熱交換器によって気体混合物を再び所望のプロセス温度にもたらさなければならない。
【００４０】
乾燥した気体混合物の乾燥プロセスへの還流によって、周囲空気が供給されるのを回避することができる。更に発生する排気の量を減らし、若しくは排気の発生を完全に避けることができる。
【００４１】
気体混合物の不活性化を実現し、爆発下限を引き上げ、若しくは爆発下限と爆発上限の間の範囲を縮小するために、乾燥した気体混合物にタンク２０を通して窒素を添加することができる。不活性化のために、例えば低温凝縮の際に発生する気体窒素も使用できる。この場合、タンク２０は液体窒素を含み、これを加熱して気相で低温凝縮のための冷媒として使用することができる。
【００４２】
乾燥機１０内で乾燥した後、フィルム７を冷却してリールに巻くことができる。冷却はここでは図示されていない冷却室で行うことができる。
【００４３】
念のため最後に指摘しておくと、本発明による装置の構造を理解しやすくするために、装置若しくはその構成要素は一部縮尺通りではなく、及び／又は拡大して、及び／又は縮小して表現された。
【符号の説明】
【００４４】
１    装置
２    流延領域
３    流延装置
４    エンドレスベルト
５    剥離装置
６    ローラ
７    フィルム
８    材料
９    延伸装置
１０    乾燥機
１１    区域
１２    区域
１３    区域
１４    区域
１５    冷却装置
１６    流入口
１７    流出口
１８    配管
１９    配管
２０    タンク
２１    配管
２２    配管
２３    配管
２４    配管
２５    ローラ
２６    ローラ
【図１】
0006697449.tif 000002